(57)【要約】【課題】排気口１７を卓面などで塞いでしまうことによる機器故障の発生を抑えることができるプロジェクター１を提供する。【解決手段】投写対象面に画像を投写する照明光学部と、これを収容する筐体２と、筐体２に設けられた排気口とを有するプロジェクター１において、筐体２の姿勢を検知する加速度センサー６５及びＭＰＵ５１と、警報を発信する警報ランプ６６及び警報ブザー６７と、加速度センサー６５及びＭＰＵ５１による検知結果に基づいて警報ランプ６６及び警報ブザー６７による警報の発信を制御する制御部５０とを設けた。【選択図】図４
2018151561.tif 000002
【特許請求の範囲】
【請求項１】
投写対象面に画像を投写する投写手段と、これを収容する筐体と、前記筐体に設けられた通気口とを有する画像投写装置において、
前記筐体の姿勢を検知する姿勢検知手段と、警報を発信する警報発信手段と、前記姿勢検知手段による検知結果に基づいて前記警報発信手段による警報の発信を制御する制御手段とを設けたことを特徴とする画像投写装置。
【請求項２】
請求項１の画像投写装置において、
前記筐体における投写レンズが設けられた前側板とこれに対向する後側板とを繋ぐ二つの横側板のうち、何れか一方の横側板だけに前記通気口を設けるか、あるいは何れか一方の横側板に設けた前記通気口の平面積を他方の横側板に設けた前記通気口の平面積よりも大きくし、
且つ、前記姿勢検知手段によって前記一方の横側板を鉛直方向下方に向ける姿勢が検知されたことに基づいて警報を発信する処理を実施するように、前記制御手段を構成したことを特徴とする画像投写装置。
【請求項３】
請求項１の画像投写装置において、
前記筐体における投写レンズが設けられた前側板とこれに対向する後側板とを繋ぐ二つの横側板のうち、何れか一方だけに前記通気口として排気口を設けるとともに、前記排気口に対向する排気ファンを設け、
且つ、前記姿勢検知手段によって前記一方の横側板を鉛直方向下方に向ける姿勢が検知されたことに基づいて警報を発信する処理を実施するように、前記制御手段を構成したことを特徴とする画像投写装置。
【請求項４】
請求項１の画像投写装置において、
前記筐体における投写レンズが設けられた前側板とこれに対向する後側板とを繋ぐ二つの横側板のうち、何れか一方だけに前記通気口として吸気口を設けるとともに、前記吸気口に対向する吸気ファンを設け、
且つ、前記姿勢検知手段によって前記一方の横側板を鉛直方向下方に向ける姿勢が検知されたことに基づいて警報を発信する処理を実施するように、前記制御手段を構成したことを特徴とする画像投写装置。
【請求項５】
請求項２乃至４の何れか一項に記載の画像投写装置において、
装置設置の様式について吊り下げ式、据え置き式の何れが採用されるのかの設置様式情報を取得する情報取得手段を設け、前記情報取得手段によって取得された前記設置様式情報が前記据え置き式を示すものであり、且つ前記姿勢検知手段によって前記一方の横側板を鉛直方向下方に向ける姿勢が検知された場合に前記警報を発信する処理を実施するように、前記制御手段を構成したことを特徴とする画像投写装置。
【請求項６】
請求項５の画像投写装置において、
前記情報取得手段によって取得された前記設置様式情報が前記吊り下げ式を示すものであり、且つ前記姿勢検知手段によって前記一方の横側板を鉛直方向上方に向ける姿勢が検知された場合にも前記警報を発信する処理を実施するように、前記制御手段を構成したことを特徴とする画像投写装置。
【請求項７】
請求項５又は６の画像投写装置において、
吊り下げ用の固定具に係合する係合部を前記筐体に設け、且つ前記固定具と前記係合部との係合の有無についての情報を前記設置様式情報として取得するように、前記情報取得手段を構成したことを特徴とする画像投写装置。
【請求項８】
請求項１乃至７の何れか一項に記載の画像投写装置において、
前記投写対象面に警報用の文字を投写する方式で警報を発信するように、前記警報発信手段を構成したことを特徴とする画像投写装置。
【請求項９】
請求項１乃至８の何れか一項に記載の画像投写装置において、
警報専用のランプを点灯させる方式で警報を発信するように、前記警報発信手段を構成したことを特徴とする画像投写装置。
【請求項１０】
請求項１乃至９の何れか一項に記載の画像投写装置において、
警報音を発する方式で警報を発信するように、前記警報発信手段を構成したことを特徴とする画像投写装置。
【発明の詳細な説明】
【技術分野】
【０００１】
本発明はプロジェクター等の画像投写装置に関するものである。
【背景技術】
【０００２】
従来、投写対象面に画像を投写する投写手段と、これを収容する筐体と、これに設けられた通気口とを有する画像投写装置が知られている。
【０００３】
例えば、特許文献１には、投写対象面たるスクリーン面に画像を投写するための投写レンズや光学部などからなる投写手段と、これを収容する筐体とを有し、筐体の前側板から排気流を排出する画像投写装置としてのプロジェクターが記載されている。筐体の前側板は、投写レンズが設けられていて、投写光が出射される側の側板である。特許文献１の図２や図５に記載されている筐体の前側板に通気口は明記されていないが、前側板そのものを排気流が通り抜けることは不可能なので、前側板には通気口としての排気口が設けられていることになる。前側板ではなく、前側板に対向する後側板や、前側板と後側板とを繋ぐ横側板に通気口たる排気口や吸気口を設けたプロジェクターも知られている。
【発明の概要】
【発明が解決しようとする課題】
【０００４】
このようなプロジェクターにおいては、投写のために設置される姿勢によっては、通気口を卓面などで塞いで吸排気を妨げてしまい、筐体内の各機器を良好に冷却することができずに、過剰な温度上昇による機器故障を発生させるおそれがあった。
【課題を解決するための手段】
【０００５】
上述した課題を解決するために、本発明は、投写対象面に画像を投写する投写手段と、これを収容する筐体と、前記筐体に設けられた通気口とを有する画像投写装置において、前記筐体の姿勢を検知する姿勢検知手段と、警報を発信する警報発信手段と、前記姿勢検知手段による検知結果に基づいて前記警報発信手段による警報の発信を制御する制御手段とを設けたことを特徴とするものである。
【発明の効果】
【０００６】
本発明によれば、通気口を卓面などで塞いでしまうことによる機器故障の発生を抑えることができるという優れた効果がある。
【図面の簡単な説明】
【０００７】
【図１】実施形態に係るプロジェクターを示す斜視図。
【図２】同プロジェクターを示す右側面図。
【図３】筐体の一部を構成する外装カバーが取り外された状態の同プロジェクターを示す斜視図。
【図４】同プロジェクターの電気回路の要部を外部機器とともに示すブロック図。
【図５】机上に平置きの状態で据え付けられた同プロジェクターをスクリーンとともに示す背面図。
【図６】同筐体の右側面を鉛直方向下方に向ける横立て置きの姿勢で据え付けた同プロジェクターをスクリーンとともに示す背面図。
【図７】左側面を鉛直方向下方に向ける横立て置きの姿勢で据え付けた同プロジェクターをスクリーンとともに示す背面図。
【図８】同プロジェクターの基本姿勢を説明するための模式図。
【図９】同プロジェクターの上排気姿勢を説明するための模式図。
【図１０】同プロジェクターの下排気姿勢を説明するための模式図。
【図１１】同プロジェクターのＭＰＵによって実施される姿勢確認処理の処理フローを示すフローチャート。
【図１２】警報文字を投写している同プロジェクターを示す背面図。
【図１３】筐体の左側面を鉛直方向下方に向ける横立て吊り下げ式で吊られた実施例に係るプロジェクターをスクリーンとともに示す背面図。
【図１４】筐体の右側面を鉛直方向下方に向ける横立て吊り下げ式で吊られた同プロジェクターをスクリーンとともに示す背面図。
【図１５】上排気姿勢で吊り下げられている同プロジェクターを上面側から示す図。
【図１６】同プロジェクターの左側面スイッチ及びその周囲を示す図。
【図１７】同プロジェクターのＭＰＵによって実施される姿勢確認処理の処理フローを示すフローチャート。
【発明を実施するための形態】
【０００８】
以下、本発明を適用した画像投写装置として、プロジェクター１の一実施形態について説明する。
まず、プロジェクター１の基本的な構成について説明する。図１は、実施形態に係るプロジェクター１を示す斜視図である。また、図２は、プロジェクター１を示す右側面図である。これらの図において、プロジェクター１の筐体２の上面２ａを構成する天板には、ユーザーによるプロジェクター１の操作のための各種指示を行うための操作ボタン等からなる操作部１１が設けられている。
【０００９】
筐体２には、光学レンズ筒を収めるための凹部が天板から窪むように設けられている。この光学レンズ筒には、投写対象面たるスクリーン面を具備するスクリーン２００に映し出されている投影画面を拡大したり、縮小したりするための操作が行われるズームレバー１２が設けられている。
【００１０】
筐体２の正面２ｂを構成する前側板には、装置電源を供給するためのＡＣインレット１３、パソコンやビデオカメラ等の外部機器と接続するための外部入力端子１４、装置環境の照度を検出する照度センサー１６などが設けられている。また、光学レンズ筒の先端部に設けられた投写レンズ１５が前側板に設けられた開口を通じて正面側を向いている。
【００１１】
筐体２の左側面２ｃを構成する左側板には、筐体２内の空気を排気するための通気口としての排気口１７が設けられている。一方、筐体２の右側面２ｄを構成する右側板には、外気を取り入れるための通気口としての吸気口が設けられている。その吸気口から筐体２内に吸気された空気は、筐体２内を流れて筐体２内の各機器を冷却するのに伴って温度上昇した後、左側板の排気口１７から外部に排出される。
【００１２】
図３は、筐体２の一部を構成する外装カバーが取り外された状態のプロジェクター１を示す斜視図である。プロジェクター１は、光学レンズ筒、光源、ＤＭＤ（Ｄｉｇｉｔａｌ  Ｍｉｒｒｏｒ  Ｄｅｖｉｃｅ）などを具備する照明光学部４０を有している。また、筐体２内の空気を強制的に外部に排出するための排気ファン１８も有している。この排気ファン１８は、筐体２内において、筐体２の左側板に設けられた排気口（図１の１７）に対向する位置に設けられている。
【００１３】
図４は、プロジェクター１の電気回路の要部を外部機器とともに示すブロック図である。プロジェクター１は、照明光学部４０、制御部５０、操作部１１、システム用電源６０、ランプ電源６１、加速度センサー６５、照度センサー１６などを搭載したＤＬＰ方式のプロジェクターである。なお、ＤＬＰ方式に代えて、液晶方式やＬＣＯＳ方式などの他方式を採用してもよい。
【００１４】
ＤＬＰ方式の照明光学部４０は、光源４１、カラーホイールからなる光学フィルター４３、ＤＭＤ４２、投写レンズ１５などを具備している。そして、光源４１から発した光を光学フィルタ−４３に通しながら、単色光ＲＧＢ（Ｒｅｄ／Ｇｒｅｅｎ／Ｂｌｕｅ）に時分割する。ＤＭＤ４２は、制御部５０のＭＰＵ（マイクロプロセッシングユニット）５１から送られてくる画像データから各色の画像を時分割で生成する。この画像は、投写レンズ１５を通って所望のサイズに拡大されて、スクリーン２００に投写される。投写レンズ１５として、複数レンズで構成されるレンズユニットだけからなるものを用いてもよいし、その後段に複数のミラーを配置したものを用いてもよい。
【００１５】
制御部５０は、ＭＰＵ５１の他に、メモリー５２、光学フィルター制御部５３、ＮＩＣ（Ｎｅｔｗｏｒｋ  Ｉｎｔｅｒｆａｃｅ  Ｃａｒｄ）５４、外部入出力信号制御部５５などを具備している。図１に示されるＡＣインレット１３や、外部入力端子１４などは、外部入出力信号制御部５５に接続されている。
【００１６】
ＭＰＵ５１は、外部機器から送られてくる画像データに所定の処理（画像の拡大縮小や変形、画像合成）を施したり、周辺ブロックの制御を行ったりするものである。また、メモリー５２は、ＭＰＵ５１で実行するためのプログラムデータや各種動作設定データを記憶するものである。
【００１７】
光学フィルター制御部５３は、光学フィルター４３とＤＭＤ４２とを同期制御し、光学フィルター４３によってランプ光を単色光に時分割する処理や、ＤＭＤ４２によって各単色光の映像光を生成する処理を行うものである。
【００１８】
図５は、机３００の上に平置きの状態で据え付けられたプロジェクター１をスクリーン２００とともに示す背面図である。同図においては、プロジェクター１を背面側から示している。スクリーン２００は、同図の紙面に直交する方向において、プロジェクター１よりも奥側に位置している。通常は、図示のようにプロジェクター１を平置きの状態で据え付けて画像を投写する。すると、スクリーン２００には、図示のように横長の矩形状の画像投写スポットが投写される。このような状態で排気ファン１８が回転すると、筐体２の右側面２ｄを構成する右側板に設けられた吸気口１９から筐体２内に空気が吸引され、筐体２内のスムーズに通過して排気ファン１８に取り込まれる。そして、排気ファン１８を通過してから、筐体２の左側面２ｃを構成する左側板に設けられた排気口１７を通じて筐体２外に排出される。このようなスムーズな空気の流れ（図中矢印Ａ方向の流れ）により、筐体内２の各機器が良好に冷却される。
【００１９】
一方、プレゼンテーション用の文書画像など、画像の種類によっては、画像を縦長の矩形状の投写スポット内に投写した方が視覚的にすっきりする場合がある。この場合、横長の矩形状の投写スポット内に、縦長の矩形の画像枠を表示させる方法もあるが、この方法では、画像全体の大きさが小さくなってしまう。そこで、例えば、通常は平置きの姿勢で据え付けて使用するプロジェクターを、横側面を上下に向ける横立て置きの姿勢で据え付けることで、スクリーン面に対して縦長の矩形状の投写スポットを投写することが考えられる。
【００２０】
図６は、筐体２の右側面２ｄを鉛直方向下方に向ける横立て置きの姿勢で据え付けたプロジェクター１をスクリーン２００とともに示す背面図である。スクリーン２００に対して縦長の矩形の投写スポットを投写するために、図示のような横立て置きの姿勢でプロジェクター１を机３００の上に据え付けると、右側面２ｄを構成する右側板に設けられた吸気口１９を卓面で塞いでしまうことになる。但し、吸気口１９は、右側板の他にも設けられている。右側板に設けられた吸気口１９が最も平面積の大きなものであるが、底面２ｆを構成する底板や、背面（図１の２ｅ）を構成する後側板にも、小さな吸気口が設けられている。このため、排気ファン１８が回転すると、底板や後側板に設けられた小さな吸引口から筐体２内に吸気が吸引される。そして、筐体２内を通過した後、排気ファン１８と、左側板に設けられた排気口１７とを経由して、筐体２外に排出される。このような空気の流れは、あるものの、主である吸気口１９が塞がれてしまうため、良好な冷却はできない。
【００２１】
図７は、左側面２ｃを鉛直方向下方に向ける横立て置きの姿勢で据え付けたプロジェクター１をスクリーン２００とともに示す背面図である。スクリーン２００に対して縦長の矩形の投写スポットを投写するために、図示のような横立て置きの姿勢でプロジェクター１を机３００の上に据え付けると、左側面２ｃを構成する左側板に設けられた排気口１７を卓面で塞いでしまうことになる。この状態で排気ファン１８が回転すると、排気ファン１８から吐き出された空気がすぐに卓面にぶつかって排気ファン１８の付近で滞る。排気口１７から空気が全く排気されず、筐体２内の空気が殆ど外に出なくなることから、筐体２内に外気を取り込みつつ、排気ファン１８によって内気を排出するという空気の循環が全く行われなくなる。すると、筐体２内の各機器を良好に冷却することができずに、過剰な温度上昇による機器故障を発生させるおそれがある。
【００２２】
このように、「横立て置き」という形態をとると、吸気口または排気口を塞ぐことになるので、良好な冷却が行われなくなってしまう。
【００２３】
次に、プロジェクター１の特徴的な構成について説明する。
図４に示されるようにプロジェクター１は、ＭＰＵ５１に接続された加速度センサー６５を有している。ＭＰＵ５１は、加速度センサー６５からの信号に基づいて重力の方向を把握することで、プロジェクター１の姿勢を把握することができる。
【００２４】
図８は、プロジェクター１の基本姿勢を説明するための模式図である。同図において、Ｚ軸は、プロジェクター１の前側板の中心を通りつつ、前後方向に延在する軸である。また、矢印ｇ方向は重力方向である。図示のように、基本姿勢は、筐体２の上面２ａや底面２ｆに対して重力方向（矢印ｇ方向）を概ね直交させ、且つ上面２ａを底面２ｆよりも上方に位置させる姿勢である。この基本姿勢は、通常の平置きの姿勢と同じである。なお、「概ね直交させ」という表現にしたのは、スクリーン２００に対してあおり角をもって画像を投写するために、あおり角調整ネジなどによって水平よりも少し傾けた姿勢を、通常の平置きの姿勢とするのが一般的だからである。このため、上面２ａや底面２ｆに対し、重力方向が直交よりも３０［°］ほどずれたとしても、上面２ａが底面２ｆよりも上方に位置する姿勢であれば、ＭＰＵ５１は基本姿勢であると判定するようになっている。
【００２５】
図９は、プロジェクター１の上排気姿勢を説明するための模式図である。図示のように、上排気姿勢は、筐体２の左側面２ｃや右側面２ｄに対して重力方向（矢印ｇ方向）を概ね直交させ、且つ左側面２ｃを右側面２ｄよりも上方に位置させる姿勢である。この上排気姿勢は、図６の姿勢と同じであり、排気口１７を上方に向ける姿勢でもある。図８の基本姿勢から、ｚ軸を中心にして時計回り方向に約９０［°］回転させると（＋９０°）、この上排気姿勢になる。なお、左側面２ｃや右側面２ｄに対し、重力方向が直交よりも３０［°］ほどずれたとしても、左側面２ｃが右側面２ｄよりも上方に位置する姿勢であれば、ＭＰＵ５１は上排気姿勢であると判定するようになっている。
【００２６】
図１０は、プロジェクター１の下排気姿勢を説明するための模式図である。図示のように、下排気姿勢は、筐体２の右側面２ｄや左側面２ｃに対して重力方向（矢印ｇ方向）を概ね直交させ、且つ右側面２ｄを左側面２ｃよりも上方に位置させる姿勢である。この下排気姿勢は、図７の姿勢と同じであり、排気口１７を下方に向けて卓面で塞いでしまう姿勢である。図８の基本姿勢から、ｚ軸を中心にして反時計回り方向に約９０［°］回転させると（−９０°）、この下排気姿勢になる。なお、右側面２ｄや左側面２ｃに対し、重力方向が直交よりも３０［°］ほどずれたとしても、右側面２ｄが左側面２ｃよりも上方に位置する姿勢であれば、ＭＰＵ５１は下排気姿勢であると判定するようになっている。
【００２７】
図１１は、ＭＰＵ５１によって実施される姿勢確認処理の処理フローを示すフローチャートである。この姿勢確認処理において、ＭＰＵ５１は、まず、定期タイミングが到来するまで待機する（ステップ１でＮ：以下、ステップをＳと記す）。そして、例えば五分毎などの定期タイミングが到来すると（Ｓ１でＹ）、加速度センサー６５からの信号に基づいてプロジェクター１の姿勢を把握する（Ｓ２）。次いで、把握結果について、下排気姿勢であったか否かを判定し（Ｓ３）、下排気姿勢でなかった場合（Ｓ３でＮ）には、一連の処理フローをＳ１にリターンさせる。これに対し、下排気姿勢であった場合（Ｓ３でＹ）には、卓面によって排気口１７が塞がれている可能性があることから、警報を発信してから（Ｓ４）、一連の処理フローを上記１にリターンさせる。
【００２８】
警報の発信方式としては、投写式警報、ランプ式警報、及び音式警報の三方式を同時に実施する。投写式警報では、図１２に示されるように、「このプロジェクターの姿勢では、排気口が塞がれて加熱による機器故障をきたすおそれがあります。この姿勢での投写は避けてください！」という警報用のメッセージを表示させる。
【００２９】
図４に示されるように、ＭＰＵ５１には、警報ランプ６６や警報ブザー６７が接続されている。警報ランプ６６は、図１に示されるように、プロジェクター１の筐体２の上面２ａに設けられている。ランプ式警報では、警報ランプ６６を点灯させて、警報が発生したことをユーザーに知らせる。また、音式警報では、警報ブザー６７によって警報音を鳴らすことで、警報が発生したことをユーザーに知らせる。
【００３０】
かかる構成では、卓面によって排気口１７が塞がれてしまう可能性のある下排気姿勢でプロジェクター１が据え付けられた場合に、警報を発信してユーザーに下排気姿勢での使用を取り止めるようにアドバイスする。これにより、排気口１７を卓面で塞いでしまうことによる機器故障の発生を抑えることができる。
【００３１】
なお、排気ファン１８に対向する排気口１７を塞がれるおそれのある姿勢になった場合に、警報を発信する例について説明したが、排気ファン１８の代わりに、吸気ファンを設ける構成を採用する場合がある。この構成の場合には、排気口が塞がれることよりも、吸気口が塞がれることの方が、筐体内２での良好な通気の妨げになる。よって、前記構成の場合には、吸気ファンに対向する吸気口が塞がれるおそれのある姿勢になった場合に、警報を発信するようＭＰＵ５１のプログラムを組むことが望ましい。
【００３２】
また、排気ファンや吸気ファンが設けられていない構成の場合には、右側面に設けられた通気口と、左側面に設けられた通気口とのうち、より平面積の大きな方を塞がれるおそれのある姿勢になった場合に、警報を発信するように構成することが望ましい。
【００３３】
次に、実施形態に係るプロジェクター１に、より特徴的な構成を付加した実施例について説明する。なお、以下に特筆しない限り、実施例に係るプロジェクター１の構成は、実施形態と同様である。
【００３４】
プロジェクター１の設置様式には、これまで説明してきたように机３００の上に据え付ける据え置き式の他に、吊り下げ金具によって天井等に吊り下げる吊り下げ式がある。
【００３５】
図１３は、筐体２の左側面２ｃを鉛直方向下方に向ける横立て吊り下げ式で吊られたプロジェクター１をスクリーン２００とともに示す背面図である。同図に示されるプロジェクター１の姿勢は上述した下排気姿勢である。図示のように、鉛直方向下方を向いている左側面２ｃを構成する左側板に設けられた排気口１７は、塞がれることなく開口している。これに対し、鉛直方向上方を向いている右側面２ｄを構成する右側板に設けられた吸気口１９は、吊り下げ金具３１０によって塞がれている。但し、底面２ｆを構成する底板や、背面（図１の２ｅ）を構成する後側板に設けられた小さな吸気口は塞がれていない。
【００３６】
排気ファン１８が回転すると、底板や後側板に設けられた小さな吸引口から筐体２内に吸気が吸引される。そして、筐体２内を通過した後、排気ファン１８と、左側板に設けられた排気口１７とを経由して、筐体２外に排出される。このような空気の流れはあるものの、主である吸気口１９が塞がれているため、良好な冷却ができない。
【００３７】
図１４は、筐体２の右側面２ｄを鉛直方向下方に向ける横立て吊り下げ式で吊られたプロジェクター１をスクリーン２００とともに示す背面図である。同図に示されるプロジェクター１の姿勢は上述した上排気姿勢である。図示のように、鉛直方向上方を向いている左側面２ｃを構成する左側板に設けられた排気口１７は、吊り下げ金具３１０によって塞がれている。この状態で排気ファン１８が回転すると、排気ファン１８から吐き出された空気がすぐに吊り下げ金具３１０の下面にぶつかって排気ファン１８の付近で滞る。排気口１７から空気が全く排気されず、筐体２内の空気が殆ど外に出なくなることから、筐体２内に外気を取り込みつつ、排気ファン１８によって内気を排出するという空気の循環が全く行われなくなる。すると、筐体２内の各機器を良好に冷却することができずに、過剰な温度上昇による機器故障を発生させるおそれがある。
【００３８】
このように、据え置き式では、下排気姿勢が採用された場合に過剰な温度上昇による機器故障を発生させるおそれがあったのに対し、吊り下げ式では、その真逆で、上排気姿勢が採用された場合に過剰な温度上昇による機器故障を発生させるおそれがある。プロジェクター１が図１４に示されるように上排気姿勢で吊り下げられているにもかかわらず、実施形態と同様に、上排気姿勢では警報を発信しないままでいると、機器故障を発生させるおそれがある。
【００３９】
そこで、実施例に係るプロジェクター１においては、据え置き式で設置されているのか、あるいは吊り下げ式で設置されているのかを示す設置様式情報を取得する情報取得手段として、後述する左側面スイッチ及び右側面スイッチを設けている。
【００４０】
図１５は、上排気姿勢で吊り下げられているプロジェクター１を上面２ａ側から示す図である。同図において、排気ファン１８に対向する排気口１７は、吊り下げ金具３１０によって塞がれている。吊り下げ金具３１０の固定板の底面には、突起３１０ａが設けられている。一方、プロジェクター１の筐体２の左側面２ｃを構成する左側板には、左開口２ｊが設けられている。そして、筐体２内における左開口２ｊに対向する位置には、左側面スイッチ６８が設けられている。また、筐体２の右側面２ｄを構成する右側板には、右開口２ｋが設けられている。そして、筐体２内における右開口２ｋに対向する位置には、右側面スイッチ６９が設けられている。
【００４１】
図１５に示されるように上排気姿勢で吊り下げ金具３１０に固定されたプロジェクター１は、図１６で示されるように、吊り下げ金具３１０の突起３１０ａを、左側面２ｃを構成する左側板の左開口２ｊ内に受け入れる。この状態では、吊り下げ金具３１０の突起３１０ａが、筐体２内で左開口２ｊに対向している左側面スイッチ６８を押下する。
【００４２】
図１５では、上排気姿勢で吊り下げられたプロジェクター１を示しているが、それとは逆に、下排気姿勢で吊り下げられるプロジェクター１は、右側面２ｄを構成する右側板に設けられた右開口２ｋ内に、吊り下げ金具３１０の突起３１０ａを受け入れる。すると、筐体２内で右開口２ｋに対向している右側面スイッチ６９が、突起３１０ａによって押下される。
【００４３】
このように、吊り下げ式でプロジェクター１が設置されると、左側面スイッチ６８及び右側面スイッチ６９のうち、何れか一方が吊り下げ金具３１０の突起３１０ａによって押下される。一方、据え置き式で設置されるプロジェクター１では、左側面スイッチ６８及び右側面スイッチ６９の両方が押下されない状態になる。よって、何れか一方の側面スイッチが押下されているのか、あるいは何れの側面スイッチも押下されていないのか、の二者択一により、吊り下げ式、据え置き式の何れで設定されているのかを把握することが可能である。かかる構成では、左側面スイッチ６８及び右側面スイッチ６９の組み合わせが、設置様式情報を取得する情報取得手段として機能している。
【００４４】
図１７は、実施例に係るプロジェクター１のＭＰＵ５１によって実施される姿勢確認処理の処理フローを示すフローチャートである。この姿勢確認処理において、Ｓ１〜Ｓ２までのフローは、図１１と同様である。Ｓ２の工程でプロジェクター１の姿勢を把握したＭＰＵ５１は、次に、何れかの側面スイッチ（６８、６９）が押下されているか否かを判定する（Ｓ３）。そして、何れの側面スイッチも押下されていない場合（Ｓ３でＮ）には、据え置き式で設置されていることになるので、図１１のフローと同様に、姿勢について下排気姿勢であるか否かを判定する（Ｓ４）。そして、下排気姿勢でない場合（Ｓ４でＮ）には直ちに、下排気姿勢である場合（Ｓ４でＹ）には警報を発信してから（Ｓ５）、一連の処理フローをＳ１にリターンさせる。
【００４５】
一方、何れかの側面スイッチが押下されている場合（Ｓ３でＹ）には、吊り下げ式で設置されていることになるので、ＭＰＵ５１は、吊り下げ式で排気口１７が塞がれるおそれのある上排気姿勢であるか否かを判定する（Ｓ６）。そして、上排気姿勢でない場合（Ｓ６でＮ）には直ちに、上排気姿勢である場合には警報を発信してから（Ｓ５）、一連の処理フローをＳ１にリターンさせる。
【００４６】
かかる構成では、据え置き式、吊り下げ式の何れの設置様式で設置されても、排気口１７が塞がれてしまう可能性のある場合に、警報を発信してユーザーに現状の姿勢での使用を取り止めるようにアドバイスする。これにより、排気口１７を塞いでしまうことによる機器故障の発生を抑えることができる。
【００４７】
以上に説明したものは一例であり、次の態様毎に特有の効果を奏する。
［態様Ａ］
投写対象面（例えばスクリーン面）に画像を投写する投写手段（例えば照明光学部４０）と、これを収容する筐体（例えば筐体２）と、前記筐体に設けられた通気口（例えば排気口１７）とを有する画像投写装置（例えばプロジェクター１）において、前記筐体の姿勢を検知する姿勢検知手段（例えば加速度センサー６５及びＭＰＵ５１の組み合わせ）と、警報を発信する警報発信手段（例えば照明光学部４０、警報ランプ６６、警報ブザー６７）と、前記姿勢検知手段による検知結果に基づいて前記警報発信手段による警報の発信を制御する制御手段（例えば制御部５０）とを設けたことを特徴とするものである。
【００４８】
態様Ａにおいては、通気口が塞がれてしまう可能性のある姿勢で画像投写装置が設置された場合に、姿勢検知手段がその姿勢を検知したことに基づいて、制御部が警報発信手段に警報を発信させる。この警報により、現状の姿勢での使用を取り止めるようにユーザーを促すことで、通気口を塞いだ状態で長時間使用されることによる機器故障の発生を抑えることができる。
【００４９】
［態様Ｂ］
態様Ｂは、態様Ａにおいて、前記筐体における投写レンズ（例えば投写レンズ１５）が設けられた前側板とこれに対向する後側板とを繋ぐ二つの横側板（例えば左側板及び右側板）のうち、何れか一方の横側板だけに前記通気口を設けるか、あるいは何れか一方の横側板に設けた前記通気口の平面積を他方の横側板に設けた前記通気口の平面積よりも大きくし、且つ、前記姿勢検知手段によって前記一方の横側板を鉛直方向下方に向ける姿勢が検知されたことに基づいて警報を発信する処理を実施するように、前記制御手段を構成したことを特徴とするものである。かかる構成では、通気口の開口面積を最も小さくしてしまう姿勢で画像投写装置が設置された場合に警報を発信することができる。
【００５０】
［態様Ｃ］
態様Ｃは、態様Ａにおいて、前記筐体における投写レンズ（例えば投写レンズ１５）が設けられた前側板とこれに対向する後側板とを繋ぐ二つの横側板のうち、何れか一方だけに前記通気口として排気口を設けるとともに、前記排気口に対向する排気ファンを設け、且つ、前記姿勢検知手段によって前記一方の横側板を鉛直方向下方に向ける姿勢が検知されたことに基づいて警報を発信する処理を実施するように、前記制御手段を構成したことを特徴とするものである。かかる構成では、排気ファンによる強制排気が行われる排気口を塞ぐ可能性のある下排気姿勢で画像投写装置が据え置かれた場合に警報を発信して、機器故障の発生を抑えることができる。
【００５１】
［態様Ｄ］
態様Ｄは、態様Ａにおいて、前記筐体における投写レンズ（例えば投写レンズ１５）が設けられた前側板とこれに対向する後側板とを繋ぐ二つの横側板のうち、何れか一方だけに前記通気口として吸気口を設けるとともに、前記吸気口に対向する吸気ファンを設け、且つ、前記姿勢検知手段によって前記一方の横側板を鉛直方向下方に向ける姿勢が検知されたことに基づいて警報を発信する処理を実施するように、前記制御手段を構成したことを特徴とするものである。かかる構成では、吸気ファンによる強制吸気が行われる吸気口を塞ぐ可能性のある下排気姿勢で画像投写装置が据え置かれた場合に警報を発信して、機器故障の発生を抑えることができる。
【００５２】
［態様Ｅ］
態様Ｅは、態様Ｂ〜Ｄの何れかにおいて、装置設置の様式について吊り下げ式、据え置き式の何れが採用されるのかの設置様式情報を取得する情報取得手段（例えば左側面スイッチ６８及び右側面スイッチ６９）を設け、前記情報取得手段によって取得された前記設置様式情報が前記据え置き式を示すものであり、且つ前記姿勢検知手段によって前記一方の横側板を鉛直方向下方に向ける姿勢が検知された場合に前記警報を発信する処理を実施するように、前記制御手段を構成したことを特徴とするものである。かかる構成では、通気口の開口面積を最も小さくするか、排気ファンによる強制排気が行われる排気口を塞ぐ可能性があるか、あるいは吸気ファンによる強制吸気が行われる吸気口を塞ぐ可能性のある下排気姿勢で装置が据え置かれた場合に警報を発信する。これにより、機器故障の発生を抑えることができる。
【００５３】
［態様Ｆ］
態様Ｆは、態様Ｅにおいて、前記情報取得手段によって取得された前記設置様式情報が前記吊り下げ式を示すものであり、且つ前記姿勢検知手段によって前記一方の横側板を鉛直方向上方に向ける姿勢が検知された場合にも前記警報を発信する処理を実施するように、前記制御手段を構成したことを特徴とするものである。かかる構成では、据え置き式、吊り下げ式の何れの設置様式で設置されても、通気口が塞がれてしまう可能性のある場合に、警報を発信してユーザーに現状の姿勢での使用を取り止めるようにアドバイスする。これにより、通気口を塞いでしまうことによる機器故障の発生を抑えることができる。
【００５４】
［態様Ｇ］
態様Ｇは、Ｅ又はＦにおいて、吊り下げ用の固定具（例えば吊り下げ金具３１０）に係合する係合部（例えば左開口２ｊ及び右開口２ｋ）を前記筐体に設け、前記固定具と前記係合部との係合の有無についての情報を前記設置様式情報として取得するように、前記情報取得手段を構成したことを特徴とするものである。かかる構成では、ユーザーに対して設置態様情報を入力してもらうという手間を強いることなく、設置態様情報を自動で取得することができる。
【００５５】
［態様Ｈ］
態様Ｈは、態様Ａ〜Ｇの何れかにおいて、前記投写対象面に警報用の文字を投写する方式で警報を発信するように、前記警報発信手段を構成したことを特徴とするものである。かかる構成では、投写画像を見ようとするユーザーに対し、確実に警報の内容を把握してもらうことができる。
【００５６】
［態様Ｉ］
態様Ｉは、態様Ａ〜Ｈの何れかにおいて、警報専用のランプ（例えば警報ランプ６６）を点灯させる方式で警報を発信するように、前記警報発信手段を構成したことを特徴とするものである。かかる構成では、ランプの点灯という視覚的な確認により、ユーザーに警報を認識してもらうことができる。
【００５７】
［態様Ｊ］
態様Ｊは、態様Ａ〜Ｉの何れかにおいて、警報音を発する方式で警報を発信するように、前記警報発信手段を構成したことを特徴とするものである。かかる構成では、警報音の発生という聴覚的な確認により、ユーザーに警報を認識してもらうことができる。
【符号の説明】
【００５８】
１：プロジェクター（画像投写装置）
２：筐体
２ｃ：左側面（一方の横側面）
２ｄ：右側面（他方の横側面）
２ｊ：左開口（係合部）
２ｋ：右開口（係合部）
１５：投写レンズ
１７：排気口（通気口）
１８：排気ファン
１９：吸気口（通気口）
４０：照明光学部（投写手段、警報発信手段）
５０：制御部（制御手段）
５１：ＭＰＵ（姿勢検知手段の一部）
６５：加速度センサー（姿勢検知手段の一部）
６６：ランプ（警報発信手段）
６７：警報ブザー（警報発信手段）
６８：左側面スイッチ（情報取得手段）
６９：右側面スイッチ（情報取得手段）
【先行技術文献】
【特許文献】
【００５９】
【特許文献１】特開２０１５−１５５３号公報
【図１】
2018151561.tif 000003
【図２】
2018151561.tif 000004
【図３】
2018151561.tif 000005
【図４】
2018151561.tif 000006
【図５】
2018151561.tif 000007
【図６】
2018151561.tif 000008
【図７】
2018151561.tif 000009
【図８】
2018151561.tif 000010
【図９】
2018151561.tif 000011
【図１０】
2018151561.tif 000012
【図１１】
2018151561.tif 000013
【図１２】
2018151561.tif 000014
【図１３】
2018151561.tif 000015
【図１４】
2018151561.tif 000016
【図１５】
2018151561.tif 000017
【図１６】
2018151561.tif 000018
【図１７】
2018151561.tif 000019